(57)【特許請求の範囲】
【請求項１】
ブラシの毛束を起設したヘッド部と、このヘッド部を円筒状のネック軸によって構成したネック部と、このネック部の後端に取り付けた円筒状のホルダ部からなり、上記各部の一部又は全部が調節可能であり、
前記ヘッド部を複数の分割ヘッドによって構成し、この分割ヘッドのうち先頭の第１ヘッドは前記ネック軸の先端に着脱自在に固定し、
前記第１ヘッド以外のヘッドはネック軸に対して、個々に独立してスライド可能、ネック軸の周囲を回動可能、かつ相互に交換可能に取り付けると共に、
前記ホルダ部の前端に、前方調節部をホルダ部周囲を回転可能に取り付け、かつ後端には後方調節部を取り付けると共に、この前方調節部と後方調節部によって、ホルダ部の外側にスペースを有して、使用者に適合した太さと形態とブラシ圧調節を行なえるアウターホルダを取り付け、
前記前方調節部内にネック軸を貫通してホルダ部内に収納し、前方調節部を回転することによりネック軸をホルダ部に固定し、かつネック軸の進入量と回転トルクを調節し、前記前方調節部と後方調節部によってアウターホルダをホルダ部の周囲を回動可能に取り付けてブラシ圧調節を行なうことにより、適切なブラシ圧を使用者に与えると同時に過度なブラシ圧を回避するトルク調節機能を有することを特徴とする歯ブラシ。
【請求項２】
ヘッド部の上面にブラシの毛束に代えてスポンジ用の清掃部材を形成したことを特徴とする請求項１記載の歯ブラシ。
【発明の詳細な説明】
【０００１】
【発明の属する技術分野】
本発明は、歯磨き用のヘッド部を取り付けたネック部が、ホルダ部の内部に進入または退出して、ネック部の長さを調節できる歯ブラシ及び歯ブラシに使用する調節可能なヘッド部に関する。
【０００２】
【従来の技術】
従来の歯ブラシは、単に歯の汚れを落とすのが目的であり、ハンドルの形状、ヘッドの大きさ、ヘッドに植立された毛の剛性その他について各種のものが準備されている。例えば、ハンドルを湾曲させたり、ヘッドを小さくしたり、ヘッド上の毛の硬度を場所によって変化させたりすることによって、利用者側の口の大きさ等の使用条件に応じて、最適なものを選択しようとするものである。
【０００３】
【発明が解決しようとする課題】
歯磨きは単に歯を磨くだけではなく、各個人の歯牙の大きさ、並び、上下の噛合わせ状態、口腔内容積、性別、年齢、右きき、左ききなどの個体差を考慮することにより、より口腔内の環境整備が保たれることからその必要性が提唱されている。すなわち歯ブラシは、口腔内清掃具すなわち口腔内環境を整えるオーラルコンデイショナーであり、かつ歯ブラシの弊害を予防するものとして捉えられるべきものである。
このような口腔内の環境整備という見地から見ると、上記従来の各種歯ブラシでは適合困難な場合がある。また歯の位置と部位によっては単一ブラシでの清掃に限界がある。
また、ヘッド部に起設された毛束が歯や歯ぐきを傷める場合もあった。
【０００４】
本発明の目的は、歯ブラシによる弊害の予防を可能にし、歯の清掃にあたりヘッド部やその他の構成要素が各パーツに分割ないしは交換可能であり、あるいは任意の構成要素を使用者の個人毎に調節、選択可能とし、異なる歯並び等の個人差を考慮して適切に磨くことができる歯ブラシを提供することにある。
また、本発明は補助清掃具や薬液をも組み込み予防プログラムを実践するために、歯科医あるいは衛生士、技工士等が処方できる全調節性の歯ブラシであり、口腔内環境の調節を可能とするオーラルコンデイショナーである。
【０００５】
【課題を解決するための手段】
上記課題を解決するために、本発明の歯ブラシは、ブラシの毛束を起設したヘッド部と、このヘッド部を円筒状のネック軸によって構成したネック部と、このネック部の後端に取り付けた円筒状のホルダ部からなり、上記各部の一部又は全部が調節可能であり、前記ヘッド部を複数の分割ヘッドによって構成し、この分割ヘッドのうち先頭の第１ヘッドは前記ネック軸の先端に着脱自在に固定し、前記第１ヘッド以外のヘッドはネック軸に対して、個々に独立してスライド可能、ネック軸の周囲を回動可能、かつ相互に交換可能に取り付けると共に、前記ホルダ部の前端に、前方調節部をホルダ部周囲を回転可能に取り付け、かつ後端には後方調節部を取り付けると共に、この前方調節部と後方調節部によって、ホルダ部の外側にスペースを有して、使用者に適合した太さと形態とブラシ圧調節を行なえるアウターホルダを取り付け、前記前方調節部内にネック軸を貫通してホルダ部内に収納し、前方調節部を回転することによりネック軸をホルダ部に固定し、かつネック軸の進入量と回転トルクを調節し、前記前方調節部と後方調節部によってアウターホルダをホルダ部の周囲を回動可能に取り付けてブラシ圧調節を行なうことにより、適切なブラシ圧を使用者に与えると同時に過度なブラシ圧を回避するトルク調節機能を有することを特徴とする。
又、ヘッド部の上面にブラシの毛束に代えてスポンジ用の清掃部材を形成したことを特徴とする。
【０００６】
【発明の実施の形態】
本発明の実施の形態について図に基づいて以下に説明する。
図１は本発明の第１実施形態の一部断面側面図である。
図中、１０は分割ヘッドの組み合わせにより構成したヘッド部である。このヘッド部１０は、本実施形態では３個に分割された第１ないし第３ヘッド１１、１２、１３の組み合わせによって構成されているがこれに限定されず、歯牙形態、歯列状態等により適宜組み合わせることができる。
【０００７】
先頭の第１ヘッド１１は、本実施形態ではネック部２０のネック軸２１の先端に、弾性を有する取付け部１１ａによって着脱自在に固定されているが、この第１ヘッド１１の取りつけ方法は後記のような構成も採用できる。１１１は内部に穿設した通路である。
第２ヘッド１２と第３ヘッド１３は共に、個々に独立してネック軸２１に対して回動可能であると共にスライド可能であり、かつ交換可能となっている。そのため、ヘッド部１０に植毛された毛９０が歯面に的確にかつ適正な力であたるのである。
【０００８】
次に、ネック部について説明する。
図１に示すように、ネック部２０は中空円筒状のネック軸２１前方に上記ヘッド部１０を配置し、後端には歯間ブラシ２２等の補助清掃具を備えてなる。
このネック軸２１は、後述のホルダ部３０の先端に備えた前方調節部３２により、ホルダ部３０内に進入した後、その長さを調節できるのである。そのため口腔内の大きさに応じて歯ブラシ１の長さを変えることができ、かつ収納性にも優れるのである。
【０００９】
さらに、上記歯間ブラシ２２がネック軸２１の後端に取り付けてあるため、材料の節約が図れ、かつネック軸２１が長いため手指を汚さずに、上記歯間ブラシ２２等の補助清掃具を清潔な状態で使用できる。
また、本実施形態のように、上記歯間ブラシ２２をネック軸２１の後端に設けたスリット２１１に固定した場合は、このスリット２１１が広がりネック軸２１がホルダ軸３０からの離脱を防止するストッパーの役割をする。
また、このネック軸２１は、本実施形態の中空の円筒状に限らず、充実体あるいは角軸も使用できる。さらに上記ネック軸２１は、その太さが変化する、いわゆるテーパ状のものでも良い。
【００１０】
また、図２４、図２５に示すように、上記歯間ブラシ２２は、保持部２２１、２２１の一端のみでなく両端にブラシ２２２、２２２を取り付けた構成も採用できる。すなわち図２４は、保持部２２１が単一の部材で両端に歯間ブラシ２２２を設けたものである。
一方、図２５は、保持部２２３、２２３が別体の部材で構成されていて、夫々の部材に異なった歯間ブラシ２２４を設けて連結部材２２５で連結したものである。
【００１１】
次に、調節部について説明する。本実施形態の前方調節部３２は、前方調節部３２内にネック軸２１を貫通せしめてホルダ部３０内に収納し、前方調節部３２を回転することによりネック軸２１の後端を固定するものである。
【００１２】
図１に示すように、ホルダ部３０は円筒状でありネック軸２１の進入と回転を許容でき、かつ前方調節部３２により進入量と回転トルクを調節できる。すなわち、進入量の調節により歯ブラシ１の長さを変えられるため、適切なブラッシング圧を手指に伝えることができる。
さらに、回転を許容できることにより、手指の不自由な使用者にとっては、各歯面を磨く際に、手指の位置を変更せずにヘッド部１０の角度を変えることができる。そのため、ヘッド部１０の毛を最適な角度で歯にあてることができる。
また、円筒状であるため内部の清掃は容易であり、常に清潔に保てる。さらに、円筒状は直線に限らず、湾曲状でも良い。さらに楕円形、多角形、不定形等のあらゆる筒状を使用できるものとする。
【００１３】
次に上記、本実施形態の作用について説明する。
上記実施形態の歯ブラシ１を使用するときは、ネック部２０の長さを前方調節部３２で調節しホルダ部３０を持って歯１００を磨けば良い。
このとき図２６（ａ）に示すように、第２ヘッド１２と第３ヘッド１３をスライドさせて位置をずらすことにより、第１ヘッド１１が、機能的に使用者の意志を一番伝達して作業できる。
【００１４】
また、同様に第２ヘッド１２と第３ヘッド１３を適切な位置に移動できることから、図２６（ｂ）に示すように、３個の各ヘッド間の距離を自由に設定できるため、歯面清掃時の最適なヘッド部１０の形態変化を一本の歯ブラシで得ることが可能となる。
そのため、簡易な構成の歯ブラシによって容易に正確な個人対応調節が可能となり、単純運動によるブラッシングにより、歯および口腔内の病気を効果的に予防できる。
また、ネック軸２１内の中空部に薬液等を収納した場合は、第１ヘッド１１の通路１１１を通りブラシ表面へと出てくる。
【００１５】
上記第１実施形態の効果は、ヘッド部１０が、第１ヘッド１１、第２ヘッド１２、第３ヘッド１３に分割されているため独立して動くことができ、かつ調節が可能である。さらに、歯の各部位へ回動により適合し、使用者個人の歯の並びに応じて変化する毛先の接触する歯の凹凸部分にブラシの毛先が平均的かつ的確に当たる。
ヘッド部１０がスライド、回動等の量的調節あるいは構成部材の変形、たわみ等により、口腔内の多種多用な歯面、歯牙形態に対し、一本の歯ブラシで適切に対応できる。
また、各分割ヘッド１１、１２、１３を容易に交換できるため、歯ブラシ１の毛９０の太さ、数、硬さを各使用者個人の特性に合わせて変更することができるうえに、歯科医師等の歯ブラシを供給する側の目的に合わせて使用でき、さらに経済的効果と省エネルギー効果を有する。
【００１６】
また、ネック部２０とホルダ部３０の内部が中空であるため、内部に錘等を入れたり、あるいはネック軸２１の長さを変化させ、作用点に適切な重心位置を選択できることが可能であり、かつ軽いため長時間磨くことができる。
また、薬液ならびに補助清掃具を２種類使用可能なため、あらゆる口腔内環境に対応できる。
さらには、ネック軸２１と前方調節部３２の関係により、歯磨き時における過度の力によりヘッド部１０の回転運動が起こり、知覚過敏、楔状欠損を防ぐことができる。すなわち、従来の歯ブラシでは歯の表面の汚れを落とすために強く磨くと歯の表面に傷をつける結果となり、そのため知覚過敏、楔状欠損等の弊害を招いている。
そこで歯面に沿って適正な力で磨くことが要求されるが、本実施例の歯ブラシ１によれば、分割ヘッド１１、１２、１３の回動により歯１００に余分な力が加わることが避けられ、適正な力で歯間のすみずみまで毛が入り、確実に歯の清掃が行えるのみならず、磨き心地も良く、上記弊害の予防をすることが可能である。
【００１７】
次に、図２ないし図４に基づいて、第１ヘッドをネック部の先端に取付ける構成について説明する。
図２に示すものは、取付け部１１ａを第１ヘッド１１の基端に構成したネジ部材とし、これをネック軸２１の先端に螺合するものである。
図３に示すものは、取付け部２１ａをネック軸２１の先端に構成したネジ部材とし、これを第１ヘッド１１に螺合するものである。
図４に示すものは、取付け部２１ｂをネック軸２１の先端に構成したバネ部材とし、これを第１ヘッド１１に係合するものである。
【００１８】
次に、図５ないし図１３に基づいて、第２ヘッド１２、第３ヘッド１３のネック軸２１に対してスライド可能な固定手段を説明する。図では第２ヘッドについて説明するが、第３ヘッド１３についても同様である。
【００１９】
図５に示す固定手段は、第２ヘッド１２の内部に固定された輪状のシリコンゴム１０３をネック軸２１の周囲に設けた凹溝１０１に嵌めて、上記シリコンゴム１０３の締めつけ力で、第２ヘッド１２を固定するものである。
【００２０】
図６に示す固定手段は、第２ヘッド１２の内部の上部と下部に固定されたバネ部材１２０の先端のピボット１２１を、ネック軸２１に構成した凹部１２１ａに嵌合して固定するものである。
【００２１】
図７に示す固定手段は、上面と下面にスリット１２２を形成した第２ヘッド１２をネック軸２１に固定するものである。
【００２２】
次に上記図５ないし図７とは逆にネック軸２１に形成した固定手段を図８ないし図１０に示す。図８に示す固定手段は、ネック軸２１の周囲に巻装された輪状のシリコンゴム１２３を第２ヘッド１２の内周に設けた凹溝１２４に嵌めて、上記シリコンゴム１２３の弾発力で固定するものである。
【００２３】
図９に示す固定手段は、ネック軸２１の内部上面に固定されたバネ部材１２５の先端のピボット１２６を、第２ヘッド１２に構成した凹部１２７に嵌合して固定するものである。
【００２４】
図１０に示す固定手段は上面と下面にスリット１２８を構成し、このスリット１２８を第２ヘッド１２に構成した凹部１２９に嵌合して固定するものである。
【００２５】
図１１に示す固定手段は第２ヘッド１２にスリット１８０が構成されていて、ヘッド自体の締めつけにより第２ヘッド１２をネック軸２１に固定するものである。
【００２６】
図１２及び図１３は、磁石を用いて固定する方法を示す図である。すなわち図１２はネック軸２１本体の軸壁内もしくは軸内に磁石２００を配置し、第２ヘッド１２内に磁性体２０１を配置して第２ヘッド１２をネック軸２１に固定するものである。
【００２７】
一方、図１３は、ネック軸２１本体の軸壁内もしくは軸内に磁性体２０１を配置し、第２ヘッド１２内に磁石２００を配置して第２ヘッド１２をネック軸２１に固定するものである。
【００２８】
次に、図１４ないし図１７に基づいて、調節部の他例について説明する。
図１４に示す前方調節部６２は、前方調節部６２内に設けた雌ネジ部６２１に、ネック軸５２に設けた雄ネジ部５２１を螺合せしめて固定するものである。
図１５に示す前方調節部６３は、ホルダ部６３１の先端の前方調節部６３内に設けた雌ネジ部６３２に、ネック軸５３に設けた雄ネジ部５３１を螺合せしめて固定するものである。なお、上記雌ネジ部６３２と雄ネジ部５３１は、テーパがついていて後方（図中右方）に向かって開拡している。
図１６に示す調節部は、ホルダ部６４１の先端に設けたフック６４によって構成され、ネック軸５４に穿設した孔５４１，５４１・・に上記フック６４の先端６４２を係合せしめて固定するものである。
図１７に示す調節部は、ホルダ部６５１の内側先端に設けた係止具６５によって構成され、ネック軸５５上部中央に設けた溝５５１と一体に構成した係止部５５２、５５２・・に上記係止具６５を係合せしめて固定するものである。
【００２９】
次に、図１８ないし図２３に基づいて、第１ヘッド、第２ヘッド、第３ヘッドの固定手段について説明する。
図１８に示すものは、ネック軸７１の先端にスットパー８１を一体に設けたものである。
図１９に示すものは、ネック軸７２の先端のネジ部７２ａにスットパー８２を螺合したものである。
図２０に示すものは、第１ヘッド１１、第２ヘッド１２、第３ヘッド１３の各々を係止体７５を嵌合して固定したものである。
図２１に示すものは、第１ヘッド１１、第２ヘッド１２、第３ヘッド１３の各々を磁石７６を嵌合して固定したものである。
図２２に示すものは、第１ヘッド１１、第２ヘッド１２、第３ヘッド１３の各々をネジ７７を嵌合して固定したものである。
図２３に示すものは、上部を扁平にした第１ヘッド７８１、第２ヘッド７８２、第３ヘッド７８３の各々を、ネック軸２１先端の固定部７８の内部に嵌合して固定したものである。
【００３０】
ホルダ部３０は、直線状あるいは湾曲した、円形または角形の筒状であり、先端に前方調節部３２を備えて前記ネック部２１を固定する。そして、後端に後方調節部４１を備え、前記清掃補助具の脱落防止と、第２ヘッド１２、第３ヘッド１３のスライド時において、ネック軸２１の後端のストッパーの役割を果たしている。
【００３１】
上記ホルダ部３０に対し、アウターホルダ４０を付属することにより、各個人に適合した太さあるいは形態とブラシ圧調節等が行える。さらに、ホルダ部３０上に表記された文字、図形等の情報の保護を果たす。
すなわち、標準のホルダ部３０の外側にアウターホルダ４０を後端の後方調節部４１により取り付け、この後方調節部４１で適切に調節する。
【００３２】
上記アウターホルダ４０の他例としては図２７に示すものを使用できる。その形状は、先端に、前方調節部３２を挟持して固定する二股状の前方支持部４５１を設けた湾曲した把持部４５２を構成し、この把持部４５２の後端にはリング状の後方支持部４５３を構成し、これを介して前方に延びた押圧部４５４を構成した。
【００３３】
使用に際してホルダ部３０に装着するときは、後方調節部４１を通過せしめ、前方調節部３２に前方支持部４５１を固定する。同時に後方支持部４５３は後方の後方調節部４１に固定される。
使用時においては、把持部４５２と押圧部４５４を握ることにより、ホルダ部３０の固定ができる。なぜなら、把持部４５２が伸展し、前方支持部４５１と後方支持部４５３が両前方調節部３２、後方調節部４１を突っ張り固定するからである。
【００３４】
図２８に示す第２実施形態は多軸の一例を示す。これは、ネック軸が３重構造の入れ子状になっている。まず、ネック軸３２１の先端に第１ヘッド３１１を固定し、第２ヘッド３１２に対してネック軸３２２が固定されていて、ネック軸３２３の先端に第３ヘッド３１３を固定してなる。
さらに上記ネック軸３２２は必ずしもネック軸２１１の全周を覆う必要はなく、ネック軸３２３についても同様である。
【００３５】
図２９は第２実施形態の他例を示す。これはネック軸が中空になっている。まず、内側のネック軸３３９の先端に第１ヘッド３３１を固定し、第２ヘッド３３２に対して中央のネック軸３３４が固定されていて、外側のネック軸３３５の先端に第３ヘッド３３３固定してなる。
【００３６】
さらにネック軸２１の多軸の他例としては図３０に示すように、３本の軸３４１、を用いて、各分割ヘッド３５１、３５２、３５３を固定することもできる。この場合は、第１ヘッド３５１は３本の軸３４１先端に固定されている。第２ヘッド３５２、第３ヘッド３５３は、それぞれ軸３４１に対してスライドする。そして３本の軸３４１の変形、すなわち捩れにより分割ヘッド３５２、３５３の回動動作も可能となる。
【００３７】
図３１（ａ）に示すものは、ヘッド部１０に植毛された毛９０に代えて、スポンジ様の清掃部材としての直方体状のスポンジ体９０１を構成したものである。
そして図３１（ｂ）は、図３１（ａ）のヘッド部１０が分割ヘッドの場合を示している。
この例によれば、スポンジ体９０１の表面が歯及び歯ぐきに面接触の状態で当るため、毛９０の場合に比べ刺激が少なく歯及び歯ぐきを傷つける度合いが少なくなると共に、より接触面積が増大することにより効率的である。
【００３８】
上記スポンジ様の清掃部材とは、清掃あるいはマッサージ効果を目的とした部材をいう。そして、弾性あるいは非弾性の高分子材料等の人工材料、あるいは自然物を用いて作製され、多数の小孔を有するスポンジ体、あるいはシリコン等の材料に切り込みを入れて細かい線状体の集合を形成し一塊と見えるようにしたものである。
このような清掃部材は、歯に適切な圧力で接触するため必要以上の刺激がかからず、かつ柔軟な素材のため口腔内の細部まで到達できるのである。
【００３９】
図３２に示すものもスポンジ様の清掃部材の一例であり、上述のように上記スポンジ体９０１に切りこみを入れて、スポンジ体９０１を適当な間隔で分け、多数のスポンジ束９０２の集合としたものである。これによれば、各々のスポンジ束９０２、９０２・・が、歯や歯ぐきの形状や凹凸に対応して、より的確に追随でき、清掃効果を上げるものである。
【００４０】
図３３に示すものは、ヘッド部１０に、植毛された毛９０に代えて細い繊維を密集して植設し、密集体９０９を構成したものである。この例によれば、密集体９０９の表面は細い繊維が隙間なく密集しているため、歯及び歯ぐきに面接触の状態で当るり、毛９０の場合に比べ刺激が少なく歯及び歯ぐきを傷つける度合いが少なくなる。上記密集体９０９は、極細の繊維をヘッド部１０の上面に密集して植設してもよく、またヘッド部１０の上面に直方体状の材質を固定し、これを上方から切りこみを入れて繊維の密集状態とすることもできる。
【００４１】
【発明の効果】
本発明の歯ブラシは、上記のような構成作用であるから、オーラルコンディションコントローラーとして以下の効果を奏する。
使用者個人の口腔内の特性あるいは口腔内環境を健康に保つために適した歯ブラシを一本に集約することができ、本人の口腔内環境に最適な清掃をおこなうことのでき、歯ブラシの弊害を予防することができる。また、伸縮性によって携帯に便利な歯ブラシを得ることができる。
各パーツのみの交換による経済的効果と省エネルギー効果を有する。
各パーツが交換可能であるため、色彩、形状、変化等を個人の嗜好性に合わし、使用者の関心度、清掃意欲・意識の向上が可能であり、清掃意欲ならびに意識が向上するうえに、術者側の予防プログラムの実施が可能である。
ヘッドが分割されており、機能部、安定部、感覚部となることにより単に清掃能力のみならず感覚的な調整もできる。
各パーツが分解可能かつ滅菌されているから清潔に保てるうえに、各使用者の各パーツの消耗具合により、その使用者のくせや力具合等も分かる。さらに、ヘッド部の歯の清掃部分として、上面に設けたスポンジ体や細い繊維を密集して植設したものを用いた場合は、歯及び歯具器の損傷を効果的に防止できる。
【図面の簡単な説明】
【図１】  本発明の第１実施形態の一部断面側面図
【図２】  第１ヘッドをネック部の先端に取付ける構成の他例の一部断面側面図
【図３】  第１ヘッドをネック部の先端に取付ける構成の他例の一部断面側面図
【図４】  第１ヘッドをネック部の先端に取付ける構成の他例の一部断面側面図
【図５】  第２ヘッドと第３ヘッドのネック軸に対する固定手段の一部拡大断面側面図
【図６】  第２ヘッドと第３ヘッドのネック軸に対する固定手段の一部拡大断面側面図
【図７】  第２ヘッドと第３ヘッドのネック軸に対する固定手段の一部拡大断面側面図
【図８】  第２ヘッドと第３ヘッドのネック軸に対する固定手段の一部拡大断面側面図
【図９】  第２ヘッドと第３ヘッドのネック軸に対する固定手段の一部拡大断面側面図
【図１０】  第２ヘッドと第３ヘッドのネック軸に対する固定手段の一部拡大断面側面図
【図１１】  第２ヘッドと第３ヘッドのネック軸に対する固定手段の斜視図
【図１２】  第２ヘッドと第３ヘッドのネック軸に対する固定手段の一部拡大断面側面図
【図１３】  第２ヘッドと第３ヘッドのネック軸に対する固定手段の一部拡大断面側面図
【図１４】  前方調節部の他例の一部断面側面図
【図１５】  前方調節部の他例の一部断面側面図
【図１６】  前方調節部の他例の一部断面側面図
【図１７】  前方調節部の他例の部分平面図
【図１８】  第１ヘッド、第２ヘッド、第３ヘッドの固定手段の一部断面平面図
【図１９】  第１ヘッド、第２ヘッド、第３ヘッドの固定手段の一部断面平面図
【図２０】  第１ヘッド、第２ヘッド、第３ヘッドの固定手段の平面図
【図２１】  第１ヘッド、第２ヘッド、第３ヘッドの固定手段の断面平面図
【図２２】  第１ヘッド、第２ヘッド、第３ヘッドの固定手段の断面平面図
【図２３】  第１ヘッド、第２ヘッド、第３ヘッドの固定手段の一部断面側面図
【図２４】  歯間ブラシの他例の正面図
【図２５】  歯間ブラシの他例の正面図
【図２６】  使用状態の説明図
【図２７】  アウターホルダの他例の部分斜視図
【図２８】  本発明の第２実施形態の一部断面側面図
【図２９】  本発明の第２実施形態の他例を示すもので、（ａ）は一部断面側面図、（ｂ）は（ａ）のＡ―Ａ線断面図
【図３０】  本発明の第２実施形態の他例を示すもので、（ａ）は部分側面図、（ｂ）は（ａ）のＢ―Ｂ線断面図
【図３１】  上面にスポンジ体を形成したヘッド部の斜視図
【図３２】  上面にスポンジ体を形成したヘッド部の斜視図
【図３３】  上面に細い繊維の密集体を形成したヘッド部の斜視図
【符号の説明】
１    歯ブラシ
１０    ヘッド部
１１    第１ヘッド
１２    第２ヘッド
１３    第３ヘッド
２０    ネック部
２１    ネック軸
３０    ホルダ部
３２    前方調節部
４０    アウターホルダ
４１    後方調節部
９０    毛
１００  歯
９０１  スポンジ体
９０２  スポンジ束
【図１】
0003873004.tif 000002
【図２】
0003873004.tif 000003
【図３】
0003873004.tif 000004
【図４】
0003873004.tif 000005
【図５】
0003873004.tif 000006
【図６】
0003873004.tif 000007
【図７】
0003873004.tif 000008
【図８】
0003873004.tif 000009
【図９】
0003873004.tif 000010
【図１０】
0003873004.tif 000011
【図１１】
0003873004.tif 000012
【図１２】
0003873004.tif 000013
【図１３】
0003873004.tif 000014
【図１４】
0003873004.tif 000015
【図１５】
0003873004.tif 000016
【図１６】
0003873004.tif 000017
【図１７】
0003873004.tif 000018
【図１８】
0003873004.tif 000019
【図１９】
0003873004.tif 000020
【図２０】
0003873004.tif 000021
【図２１】
0003873004.tif 000022
【図２２】
0003873004.tif 000023
【図２３】
0003873004.tif 000024
【図２４】
0003873004.tif 000025
【図２５】
0003873004.tif 000026
【図２６】
0003873004.tif 000027
【図２７】
0003873004.tif 000028
【図２８】
0003873004.tif 000029
【図２９】
0003873004.tif 000030
【図３０】
0003873004.tif 000031
【図３１】
0003873004.tif 000032
【図３２】
0003873004.tif 000033
【図３３】
0003873004.tif 000034